(57)【要約】【課題】コンテンツを受信した受信端末がコンテンツと関連付けられた付加サービスの提供を受けることができ、効率の良い情報の送受信が可能なコンテンツ配信システム、配信サーバ、受信端末及びコンピュータプログラムを提供すること。【解決手段】ネットワークを介してコンテンツデータを受信端末に配信する配信サーバにおいて、コンテンツデータの利用権利を特定する第１の認証情報と、コンテンツデータと関連付けられた付加サービスの利用権利を特定する第２の認証情報とを受信端末から受信する認証情報受信部と、受信した第１の認証情報に基づいてコンテンツデータの利用権利に関する第１の権利情報を受信端末に送信し、受信した第２の認証情報に基づいて付加サービスの利用権利に関する第２の権利情報を受信端末に送信する権利情報送信部とを備えることを特徴とする。【選択図】図２
2009055126.tif 000002
【特許請求の範囲】
【請求項１】
コンテンツデータを受信する受信端末が接続されたネットワークを介して前記コンテンツデータを前記受信端末に配信する配信サーバにおいて、
前記コンテンツデータの利用権利を特定する第１の認証情報と、前記コンテンツデータと関連付けられた付加サービスの利用権利を特定する第２の認証情報とを前記受信端末から受信する認証情報受信部と、
前記受信した第１の認証情報に基づいて前記コンテンツデータの利用権利に関する第１の権利情報を前記受信端末に送信し、前記受信した第２の認証情報に基づいて前記付加サービスの利用権利に関する第２の権利情報を前記受信端末に送信する権利情報送信部と、
を備えることを特徴とする、配信サーバ。
【請求項２】
前記認証情報受信部は、前記第１の認証情報と前記第２の認証情報とを含む１の認証データを前記受信端末から受信することを特徴とする、請求項１に記載の配信サーバ。
【請求項３】
前記第１の権利情報に基づいて前記受信端末から送信されるコンテンツ配信要求を受信するコンテンツ配信要求受付部と、
前記受信したコンテンツ配信要求に基づいて前記コンテンツデータを前記受信端末に送信するコンテンツデータ送信部と、
を備えることを特徴とする、請求項１に記載の配信サーバ。
【請求項４】
前記第２の権利情報に基づいて前記受信端末から送信される付加サービス要求を受信する付加サービス要求受付部と、
前記受信した付加サービス要求に基づいて前記付加サービスに関するデータを前記受信端末に送信する付加サービスデータ送信部と、
を備えることを特徴とする、請求項１に記載の配信サーバ。
【請求項５】
前記付加サービスは、前記コンテンツデータの課金処理に関するサービスであることを特徴とする、請求項１に記載の配信サーバ。
【請求項６】
前記付加サービスは、前記コンテンツデータと関連付けられた前記コンテンツデータと別のコンテンツデータの配信に関するサービスであることを特徴とする、請求項１に記載の配信サーバ。
【請求項７】
コンテンツデータを配信する配信サーバが接続されたネットワークを介して前記コンテンツデータを前記配信サーバから受信する受信端末において、
前記コンテンツデータの利用権利を特定する第１の認証情報と、前記コンテンツデータと関連付けられた付加サービスの利用権利を特定する第２の認証情報とを前記配信サーバに送信する認証情報送信部と、
前記第１の認証情報に基づいて前記配信サーバから送信される前記コンテンツデータの利用権利に関する第１の権利情報を受信し、前記第２の認証情報に基づいて送信される前記付加サービスの利用権利に関する第２の権利情報を受信する権利情報受信部と、
を備えることを特徴とする、受信端末。
【請求項８】
前記認証情報送信部は、前記第１の認証情報と前記第２の認証情報とを含む１の認証データを前記配信サーバに送信することを特徴とする、請求項７に記載の受信端末。
【請求項９】
前記第１の権利情報に基づいて前記配信サーバにコンテンツ取得要求を送信するコンテンツ取得要求部と、
前記コンテンツ取得要求に基づいて前記配信サーバから送信される前記コンテンツデータを受信するコンテンツデータ受信部と、
を備えることを特徴とする、請求項７に記載の受信端末。
【請求項１０】
前記第２の権利情報に基づいて前記配信サーバに付加サービス取得要求を送信する付加サービス取得要求部と、
前記付加サービス取得要求に基づいて前記配信サーバから送信される前記付加サービスに関するデータを受信する付加サービスデータ受信部と、
を備えることを特徴とする、請求項７に記載の受信端末。
【請求項１１】
前記付加サービスは、前記コンテンツデータの課金処理に関するサービスであることを特徴とする、請求項７に記載の受信端末。
【請求項１２】
前記付加サービスは、前記コンテンツデータと関連付けられた前記コンテンツデータと別のコンテンツデータの配信に関するサービスであることを特徴とする、請求項７に記載の受信端末。
【請求項１３】
前記第１の認証情報又は前記第２の認証情報を取得する認証情報取得部を備えることを特徴とする、請求項７に記載の受信端末。
【請求項１４】
コンテンツデータを配信する配信サーバと前記コンテンツデータを受信する受信端末とが接続されたネットワークにおけるコンテンツ配信システムにおいて、
前記配信サーバは、
前記コンテンツデータの利用権利を特定する第１の認証情報と、前記コンテンツデータと関連付けられた付加サービスの利用権利を特定する第２の認証情報とを前記受信端末から受信する認証情報受信部と、
前記受信した第１の認証情報に基づいて前記コンテンツデータの利用権利に関する第１の権利情報を前記受信端末に送信し、前記受信した第２の認証情報に基づいて前記付加サービスの利用権利に関する第２の権利情報を前記受信端末に送信する権利情報送信部と、
を備え、
前記受信端末は、
前記第１の認証情報と、前記第２の認証情報とを前記配信サーバに送信する認証情報送信部と、
前記第１の権利情報を前記配信サーバから受信し、前記第２の権利情報を前記配信サーバから受信する権利情報受信部と、
を備えることを特徴とする、コンテンツ配信システム。
【請求項１５】
コンテンツデータを受信する受信端末が接続されたネットワークを介して前記コンテンツデータを前記受信端末に配信する配信サーバにおけるコンピュータプログラムにおいて、
前記コンテンツデータの利用権利を特定する第１の認証情報と、前記コンテンツデータと関連付けられた付加サービスの利用権利を特定する第２の認証情報とを前記受信端末から受信する手段と、
前記受信した第１の認証情報に基づいて前記コンテンツデータの利用権利に関する第１の権利情報を前記受信端末に送信し、前記受信した第２の認証情報に基づいて前記付加サービスの利用権利に関する第２の権利情報を前記受信端末に送信する手段と、
を含み、配信サーバとしてコンピュータを機能させることを特徴とする、コンピュータプログラム。
【請求項１６】
コンテンツデータを配信する配信サーバが接続されたネットワークを介して前記コンテンツデータを前記配信サーバから受信する受信端末におけるコンピュータプログラムにおいて、
前記コンテンツデータの利用権利を特定する第１の認証情報と、前記コンテンツデータと関連付けられた付加サービスの利用権利を特定する第２の認証情報とを前記配信サーバに送信する手段と、
前記第１の認証情報に基づいて前記配信サーバから送信される前記コンテンツデータの利用権利に関する第１の権利情報を受信し、前記第２の認証情報に基づいて送信される前記付加サービスの利用権利に関する第２の権利情報を受信する手段と、
を含み、受信端末としてコンピュータを機能させることを特徴とする、コンピュータプログラム。
【発明の詳細な説明】
【技術分野】
【０００１】
本発明は、コンテンツ配信システム、配信サーバ、受信端末及びコンピュータプログラムに関する。
【背景技術】
【０００２】
近年では、コンテンツデータ、例えば、映画、音楽、スポーツ、ソフトウェアなどのデータがインターネット等のネットワークを介して配信されるコンテンツ配信サービスが利用されている。
【０００３】
コンテンツ配信サービスは、一般に、ネットワークに接続された配信サーバと利用者端末とからなる。配信サーバは、複数のコンテンツデータを記憶しており、利用者端末からのアクセスに応じて、コンテンツデータを配信する。一方、利用者端末は、ネットワークを介して、配信サーバにアクセスすることによって、配信サーバからコンテンツデータをダウンロードする。例えば、利用者は、利用者端末を操作することによって配信サーバにアクセスすることができ、配信サーバからコンテンツデータをダウンロードすることができる。
【０００４】
例えば、特許文献１には、ダウンロードしたコンテンツデータを再生する際の利用制限に関する技術が開示されている。
【０００５】
【特許文献１】特開２００７−４８２９７号公報
【発明の開示】
【発明が解決しようとする課題】
【０００６】
ところで、従来のコンテンツ配信サービスでは、利用者はコンテンツを利用するために必要な利用許諾情報であるライセンスを取得する必要がある。そのため、利用者は、ライセンスサーバがライセンスを特定できるように、ライセンスＩＤ（認証情報）をライセンスサーバに対して送信する必要がある。ライセンスサーバは、利用者からＩＤを受信することで、利用者が有するライセンスを特定し、利用者にライセンスを送信することができる。
【０００７】
一方、コンテンツ配信サービスでは、例えばコンテンツ配信サービスに関する広告を見た利用者が料金の割引を受けたり、その他の付加サービスの提供を受けたりできるようなサービスを提供することが考えられる。しかし、従来のコンテンツに関する利用者のライセンスの特定、利用者へのライセンスの送信のみでは、これらの付加的なサービスの提供を受けられる利用者を特定できないため、従来のコンテンツ配信サービスでは、付加的なサービスを提供することができなかった。
【０００８】
また、従来のコンテンツ配信サービスでは、コンテンツが有料の場合、利用者がライセンス取得処理の前後に料金の支払い手続を行い、課金処理が完了するとライセンスＩＤが発行されていた。しかし、従来のサービスでは、課金処理とライセンス取得処理を関連付けておく必要がなかったため、ライセンスＩＤ発行後に特定のコンテンツを取得した利用者に対して料金に関するサービスを提供することが困難であった。
【０００９】
そこで、本発明は、上記問題に鑑みてなされたものであり、本発明の目的とするところは、コンテンツを受信した受信端末がコンテンツと関連付けられた付加サービスの提供を受けることができ、効率の良い情報の送受信が可能な、新規かつ改良されたコンテンツ配信システム、配信サーバ、受信端末及びコンピュータプログラムを提供することにある。
【課題を解決するための手段】
【００１０】
上記課題を解決するために、本発明のある観点によれば、コンテンツデータを配信する配信サーバとコンテンツデータを受信する受信端末とが接続されたネットワークにおけるコンテンツ配信システムにおいて、配信サーバは、コンテンツデータの利用権利を特定する第１の認証情報と、コンテンツデータと関連付けられた付加サービスの利用権利を特定する第２の認証情報とを受信端末から受信する認証情報受信部と、受信した第１の認証情報に基づいてコンテンツデータの利用権利に関する第１の権利情報を受信端末に送信し、受信した第２の認証情報に基づいて付加サービスの利用権利に関する第２の権利情報を受信端末に送信する権利情報送信部とを備え、受信端末は、第１の認証情報と、第２の認証情報とを配信サーバに送信する認証情報送信部と、第１の権利情報を配信サーバから受信し、第２の権利情報を配信サーバから受信する権利情報受信部とを備えることを特徴とするコンテンツ配信システムが提供される。
【００１１】
また、上記課題を解決するために、本発明の別の観点によれば、コンテンツデータを受信する受信端末が接続されたネットワークを介してコンテンツデータを受信端末に配信する配信サーバにおいて、コンテンツデータの利用権利を特定する第１の認証情報と、コンテンツデータと関連付けられた付加サービスの利用権利を特定する第２の認証情報とを受信端末から受信する認証情報受信部と、受信した第１の認証情報に基づいてコンテンツデータの利用権利に関する第１の権利情報を受信端末に送信し、受信した第２の認証情報に基づいて付加サービスの利用権利に関する第２の権利情報を受信端末に送信する権利情報送信部とを備えることを特徴とする配信サーバが提供される。
【００１２】
上記認証情報受信部は、第１の認証情報と第２の認証情報とを含む１の認証データを受信端末から受信するものであってもよい。
【００１３】
上記第１の権利情報に基づいて受信端末から送信されるコンテンツ配信要求を受信するコンテンツ配信要求受付部と、受信したコンテンツ配信要求に基づいてコンテンツデータを受信端末に送信するコンテンツデータ送信部とを備えるものであってもよい。
【００１４】
上記第２の権利情報に基づいて受信端末から送信される付加サービス要求を受信する付加サービス要求受付部と、受信した付加サービス要求に基づいて付加サービスに関するデータを受信端末に送信する付加サービスデータ送信部とを備えるものであってもよい。
【００１５】
上記付加サービスは、コンテンツデータの課金処理に関するサービスであってもよい。上記付加サービスは、コンテンツデータと関連付けられたコンテンツデータと別のコンテンツデータの配信に関するサービスであってもよい。
【００１６】
また、上記課題を解決するために、本発明の別の観点によれば、コンテンツデータを配信する配信サーバが接続されたネットワークを介してコンテンツデータを配信サーバから受信する受信端末において、コンテンツデータの利用権利を特定する第１の認証情報と、コンテンツデータと関連付けられた付加サービスの利用権利を特定する第２の認証情報とを配信サーバに送信する認証情報送信部と、第１の認証情報に基づいて配信サーバから送信されるコンテンツデータの利用権利に関する第１の権利情報を受信し、第２の認証情報に基づいて送信される付加サービスの利用権利に関する第２の権利情報を受信する権利情報受信部とを備えることを特徴とする受信端末が提供される。
【００１７】
上記認証情報送信部は、第１の認証情報と第２の認証情報とを含む１の認証データを配信サーバに送信するものであってもよい。
【００１８】
上記第１の権利情報に基づいて配信サーバにコンテンツ取得要求を送信するコンテンツ取得要求部と、コンテンツ取得要求に基づいて配信サーバから送信されるコンテンツデータを受信するコンテンツデータ受信部とを備えるものであってもよい。
【００１９】
上記第２の権利情報に基づいて配信サーバに付加サービス取得要求を送信する付加サービス取得要求部と、付加サービス取得要求に基づいて配信サーバから送信される付加サービスに関するデータを受信する付加サービスデータ受信部とを備えるものであってもよい。
【００２０】
上記付加サービスは、コンテンツデータの課金処理に関するサービスであってもよい。上記付加サービスは、コンテンツデータと関連付けられたコンテンツデータと別のコンテンツデータの配信に関するサービスであってもよい。
【００２１】
上記第１の認証情報又は第２の認証情報を取得する認証情報取得部を備えるものであってもよい。
【００２２】
また、上記課題を解決するために、本発明の別の観点によれば、コンテンツデータを受信する受信端末が接続されたネットワークを介してコンテンツデータを受信端末に配信する配信サーバにおけるコンピュータプログラムにおいて、コンテンツデータの利用権利を特定する第１の認証情報と、コンテンツデータと関連付けられた付加サービスの利用権利を特定する第２の認証情報とを受信端末から受信する手段と、受信した第１の認証情報に基づいてコンテンツデータの利用権利に関する第１の権利情報を受信端末に送信し、受信した第２の認証情報に基づいて付加サービスの利用権利に関する第２の権利情報を受信端末に送信する手段とを含み、配信サーバとしてコンピュータを機能させることを特徴とするコンピュータプログラムが提供される。
【００２３】
また、上記課題を解決するために、本発明の別の観点によれば、コンテンツデータを配信する配信サーバが接続されたネットワークを介してコンテンツデータを配信サーバから受信する受信端末におけるコンピュータプログラムにおいて、コンテンツデータの利用権利を特定する第１の認証情報と、コンテンツデータと関連付けられた付加サービスの利用権利を特定する第２の認証情報とを配信サーバに送信する手段と、第１の認証情報に基づいて配信サーバから送信されるコンテンツデータの利用権利に関する第１の権利情報を受信し、第２の認証情報に基づいて送信される付加サービスの利用権利に関する第２の権利情報を受信する手段とを含み、受信端末としてコンピュータを機能させることを特徴とするコンピュータプログラムが提供される。
【発明の効果】
【００２４】
本発明によれば、コンテンツを受信した受信端末がコンテンツと関連付けられた付加サービスの提供を受けることができ、効率の良い情報の送受信ができる。
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
（第１の実施形態の構成）
まず、図１を参照して、本発明の第１の実施形態に係るコンテンツ配信システム１００について説明する。図１は、本実施形態に係るコンテンツ配信システム１００を示す構成図である。コンテンツ配信システム１００は、コンテンツデータ、例えば、映画、音楽、スポーツ、ソフトウェアなどのデータをインターネット等のネットワーク１０１を介して配信するシステムであり、ネットワーク１０１に接続された配信サーバ１１０と受信機１６０（受信端末の一例である。）とを有する。コンテンツ配信システム１００によって、コンテンツデータが受信機１６０に配信され、受信機１６０がコンテンツデータをダウンロードすることができるコンテンツ配信サービスが実現される。
【００２７】
ネットワーク１０１は、例えば、インターネットプロトコル（ＩＰ）技術を利用してコンピュータ・ネットワークが相互接続された広範囲のＩＰネットワークなどである。なお、図示しないがコンテンツ配信システム１００はルータを備え、ルータは、例えば、異なるコンピュータ・ネットワーク間を接続、又は中継（経路制御）する。
【００２８】
配信サーバ１１０は、図１に示すように、ポータルサーバ１０２と、コンテンツサーバ１０４と、ライセンスサーバ１０６と、課金決済サーバ１０８とを有する。
【００２９】
なお、図１では、配信サーバ１１０がポータルサーバ１０２と、コンテンツサーバ１０４と、ライセンスサーバ１０６と、課金決済サーバ１０８のように個別のコンピュータ・サーバからなるように図示しているが、本発明はかかる例に限定されず、配信サーバ１１０は、これら４つのサーバの機能を全て有する１つのハードウェアであるコンピュータ・サーバからなるとすることができる。また、ポータルサーバ１０２と、コンテンツサーバ１０４と、ライセンスサーバ１０６と、課金決済サーバ１０８は、それぞれ単体のハードウェアからなるとしてもよいし、それぞれ２以上のハードウェアからなるとしてもよい。
【００３０】
ポータルサーバ１０２は、コンテンツ配信サービスによって利用できるコンテンツ内容又は課金処理のナビゲーション情報を受信機１６０に提供する。コンテンツサーバ１０４は、記録部１２０にコンテンツデータ、例えば、映画、音楽、スポーツ、ソフトウェアなどのデータを記憶しており、受信機１６０からのコンテンツ取得要求に応じて受信機１６０にコンテンツを送信する。
【００３１】
ライセンスサーバ１０６は、受信機１６０におけるコンテンツの利用権利であるライセンスの管理を行う。ライセンスサーバ１０６は、課金処理完了後、ライセンスＩＤを受信機１６０に送信したり、ライセンスの特定がされたときライセンスを受信機１６０に送信したりする。課金決済サーバ１０８は、コンテンツに関する課金処理を行う。
【００３２】
次に、図２を参照して、本実施形態に係る配信サーバ１１０について説明する。図２は、本実施形態に係る配信サーバ１１０を示すブロック図である。
【００３３】
配信サーバ１１０は、コンテンツデータの配信、受信機１６０の認証などを行う。配信サーバ１１０は、ＣＰＵ１１２と、メモリ１１４と、入出力ＩＦ１１６と、表示部１１８と、コンテンツデータ等を保存する記録部１２０と、ライセンスＩＤを生成するＩＤ生成部１２２と、ＩＤを受信機１６０から受信するＩＤ受信部１２４と、ライセンス送信部１２６と、受信機１６０からのコンテンツデータの配信要求の受付をするコンテンツ配信要求受付部１２８と、コンテンツデータを配信するコンテンツデータ配信部１３０と、付加サービス要求受付部１３２と、付加サービスデータ送信部１３４と、ユーザ認証部１３６と、ユーザ情報管理部１３８と、課金処理部１４０と、ネットワーク接続部１４２を有する。
【００３４】
なお、図２を用いた実施形態では、配信サーバ１１０が、ポータルサーバ１０２と、コンテンツサーバ１０４と、ライセンスサーバ１０６と、課金決済サーバ１０８の４つのサーバの機能を全て有する１つのハードウェアであるコンピュータ・サーバからなるとした。
【００３５】
ＣＰＵ（Central  Processing  Unit）１１２は、プログラムによって演算処理装置及び制御装置として機能し、配信サーバ１１０内に設けられた各構成要素の処理を制御することができる。メモリ１１４は、例えば、ＲＡＭ（Random  Access  Memory）、ＲＯＭ（Read  Only  Memory）、キャッシュメモリなどの記憶部で構成されており、ＣＰＵ１１２の処理に関するデータ、ＣＰＵ１１２の動作プログラムなどを一時的に記憶する機能を有する。
【００３６】
入出力ＩＦ（インターフェース）１１６は、例えば、マウス、キーボード、タッチパネル、ボタン、スイッチ、レバーなどの操作部と、入力信号を生成しＣＰＵ１１２に出力する入力制御部等から構成される。例えば、配信サーバ１１０の管理者は、入出力ＩＦ１１６の操作部を操作することによって、配信サーバ１１０にデータを入力したり処理動作を指示したりすることができる。
【００３７】
表示部１１８は、例えば、液晶ディスプレイ（ＬＣＤ）装置、ＣＲＴディスプレイ装置、ランプなどの映像信号を表示する表示装置と、スピーカなどの音声信号を出力する音声出力装置などからなる。例えば、配信サーバ１１０の管理者は、入出力ＩＦ１１６で行った操作の結果などを、表示部１１８を介して確認することができる。
【００３８】
記録部１２０は、例えば、ＨＤＤ（ハードディスクドライブ）、フラッシュメモリなどで構成されており、データを長期に亘って格納するための記憶部である。記録部１２０は、ユーザ情報データベース、課金データベース、端末性能情報、ネットワーク回線情報、プログラムなどのデータを記録することができる。また、記録部１２０には、複数のコンテンツデータが記録されている。ユーザ情報データベースには、例えば、利用者がコンテンツ配信サービスを利用可能な者であるかを判別するためのライセンスＩＤやパスワードなどの認証情報が利用者ごとに格納されている。課金データベースには、例えば各利用者のライセンスＩＤ又は付加サービスＩＤごとに課金情報が格納されている。課金情報は、利用者によるコンテンツの選択、購入決定による課金処理によって更新されて、利用者ごとに課金処理されたコンテンツのタイトル、配信日時、課金金額などの情報が記録される。
【００３９】
ＩＤ生成部１２２は、例えば、課金処理が正常に完了したことを確認した後、ライセンスＩＤ（第１の認証情報）を生成する。
【００４０】
ＩＤ受信部１２４は、認証情報受信部の一例であり、受信機１６０が取得済みのライセンスＩＤ（第１の認証情報）と課金決済に使用した電子マネーの電子マネーＩＤ（第２の認証情報）又は付加サービスＩＤを受信機から受信する。
【００４１】
ライセンス送信部１２６は、権利情報送信部の一例であり、ライセンスＩＤと電子マネーＩＤ又は付加サービスＩＤを確認すると、ライセンスＩＤによって利用権利が特定されてコンテンツの利用権利に関するライセンス（第１の権利情報）を受信機１６０に送信し、電子マネーＩＤ又は付加サービスＩＤによって利用権利が特定されて付加サービスの利用権利に関する付加サービスライセンス（第２の権利情報）を受信機１６０に送信する。
【００４２】
コンテンツ配信要求受付部１２８は、受信機１６０から送信された配信要求を受信する。配信要求受信した場合、コンテンツ配信要求受付部１２８はコンテンツデータ配信部１３０にコンテンツデータを配信するように要求する。このとき、配信要求は、保存データ又はストリーミングデータのいずれか、若しくは両者を配信するように要求する。
【００４３】
コンテンツデータ配信部１３０は、記録部１２０に記録されたコンテンツデータ、例えば保存可能な再生データ、高品質のストリーミング再生データ、又は低品質のストリーミング再生データ等を受信機１６０に配信する。コンテンツデータ配信部１３０は、ストリーミングデータを通信プロトコルについてＲＴＰ（real-time  transport  protocol）で配信するものであってもよい。コンテンツデータ配信部１３０は、保存可能な再生データを通信プロトコルについてＨＴＴＰ（hypertext  transfer  protocol）で配信するものであってもよい。これにより、データの保障された保存可能な再生データの保存と、リアルタイム性や高効率なストリーミング再生が可能となる。
【００４４】
付加サービス要求受付部１３２は、受信機１６０から送信された付加サービス取得要求を受信する。取得要求受信した場合、付加サービス要求受付部１３２は付加サービスデータ送信部１３４に付加サービスデータを送信するように要求する。
【００４５】
付加サービスデータ送信部１３４は、受信した付加サービス取得要求に基づいて付加サービスに関するデータを受信機１６０に送信する。
【００４６】
ユーザ認証部１３６は、利用者がコンテンツ配信サービスを利用可能な者であるか否かを本人確認する。本人確認は、例えば、受信機１６０から送信されるライセンスＩＤ又は付加サービスＩＤとパスワードとがユーザ情報データベースに格納された利用者ＩＤ又は付加サービスＩＤとパスワードに一致するか否かによって判断される。
【００４７】
ユーザ情報管理部１３８は、例えば、受信機１６０からの要求に応じてユーザ情報データベースに格納されたユーザ情報を新規に格納、既存のユーザ情報を削除又は変更する。
【００４８】
課金処理部１４０は、利用者によってコンテンツの選択がされて、購入方法が選択されることにより購入が決定したことによって、利用者に対して課金処理を行う。なお、内容が同じコンテンツは、１つのコンテンツに対して購入処理を行うだけで、保存用再生データの保存及びストリーミングデータの再生のいずれも可能なように管理することができる。
【００４９】
ネットワーク接続部１４２は、例えば、通信回線、通信回路、通信デバイスなどで構成されている。ネットワーク接続部１４２は、配信サーバ１１０と受信機１６０との間で、コンピュータ・ネットワークを介して、データを送受信することができる。
【００５０】
次に、図３を参照して、本実施形態に係る受信機１６０について説明する。図３は、本実施形態に係る受信機１６０を示すブロック図である。
【００５１】
受信機１６０は、利用者によるコンテンツデータの選択によって配信サーバ１１０に対してコンテンツデータの配信要求をし、コンテンツデータの受信を行う。受信機１６０は、ＣＰＵ１６２と、ストレージ１６４と、メモリ１６６と、入出力ＩＦ１６８と、デコーダ１７０と、ライセンスＩＤ取得部１７２と、付加サービスＩＤ取得部１７４と、ＩＤ送信部１７６と、ライセンス受信部１７８と、付加サービスライセンス受信部１８０と、コンテンツデータ受信部１８１と、コンテンツ取得要求部１８２と、付加サービスデータ受信部１８３と、付加サービス取得要求部１８４と、再生制御部１８６と、ネットワーク接続部１８８を備える。
【００５２】
ＣＰＵ１６２は、プログラムによって演算処理装置及び制御装置として機能し、受信機１６０内に設けられた各構成要素の処理を制御することができる。ＣＰＵ１６２は、コンテンツデータをダウンロードするダウンロード制御、ダウンロードしたコンテンツデータをストレージ１６４に保存する蓄積制御などを行う。
【００５３】
ストレージ１６４は、受信機１６０にダウンロードされたコンテンツデータを、ＣＰＵ１６２におけるダウンロード制御処理、蓄積制御処理を経て記録する。ストレージ１６４は、例えば、ＨＤＤ（ハードディスクドライブ）、光ディスクドライブ、フラッシュメモリなどで構成されており、データを長期に亘って格納するための記憶部である。
【００５４】
メモリ１６６は、例えば、ＲＡＭ（Random  Access  Memory）、ＲＯＭ（Read  Only  Memory）、キャッシュメモリなどの記憶部で構成されており、ＣＰＵの処理に関するデータ、ＣＰＵの動作プログラムなどを一時的に記憶する機能を有する。
【００５５】
入出力ＩＦ１６８は、例えば、マウス、キーボード、タッチパネル、ボタン、スイッチ、レバーなどの操作部と、入力信号を生成しＣＰＵ１６２に出力する入力制御部等から構成される。例えば、利用者は、入出力ＩＦ１６８の操作部を操作することによって、受信機１６０内にデータを入力したり、受信機１６０の処理動作を指示したりすることができる。
【００５６】
デコーダ１７０は、受信した映像データ又は音声データなどを復号処理する。デコーダ１７０には、映像データを復号する映像デコーダ、音声データを復号する音声デコーダ、字幕データを復号する字幕デコーダ等がある。
【００５７】
ライセンスＩＤ取得部１７２、付加サービスＩＤ取得部１７４は、認証情報取得部の一例であり、例えば入力端末などによって、ライセンスＩＤ、付加サービスＩＤが受信機１６０に入力される。
【００５８】
ＩＤ送信部１７６は、認証情報送信部の一例であり、配信サーバ１１０にライセンスＩＤ、付加サービスＩＤを送信する。
【００５９】
ライセンス受信部１７８は、配信サーバ１１０からライセンスを受信する。また、付加サービスライセンス受信部１８０は、配信サーバから付加サービスライセンスを受信する。ライセンス受信部１７８及び付加サービスライセンス受信部１８０は、権利情報受信部の一例である。
【００６０】
コンテンツデータ受信部１８１は、配信サーバ１１０からコンテンツデータを受信する。また、付加サービスデータ受信部１８３は、配信サーバ１１０から付加サービスに関するデータを受信する。
【００６１】
コンテンツ取得要求部１８２は、ライセンスＩＤに基づいて配信サーバ１１０にコンテンツ取得要求を送信する。コンテンツ取得要求部１８２は、利用者によってコンテンツデータのうち保存用再生データの保存が選択されたとき、配信サーバ１１０に対して保存用再生データの配信を要求する。コンテンツ取得要求部１８２は、利用者によってコンテンツデータのうちストリーミングデータの再生が選択されたとき、配信サーバ１１０に対してストリーミングデータの配信を要求する。
【００６２】
付加サービス取得要求部１８４は、付加サービスＩＤに基づいて配信サーバ１１０に付加サービス取得要求を送信する。
【００６３】
再生制御部１８６は、ストレージ１６４に保存された保存データを再生する再生制御及び受信したストリーミングデータの再生制御を行う。
【００６４】
ネットワーク接続部１８８は、例えば、通信回線、通信回路、通信デバイスなどで構成されている。ネットワーク接続部１８８は、配信サーバ１１０と受信機１６０との間で、コンピュータ・ネットワークを介して、データを送受信することができる。
【００６５】
表示装置１９０は、例えば、コンピュータ端末のディスプレイ装置、テレビなどであり、例えば、液晶ディスプレイ（ＬＣＤ）装置、プラズマディスプレイ装置、ＣＲＴディスプレイ装置などの映像信号を表示する表示装置と、スピーカなどの音声信号を出力する音声出力装置などからなる。
【００６６】
表示装置１９０は、受信機１６０と接続され、受信機１６０からデータを受信して、コンテンツに関する映像や音声を再生したり、ＧＵＩ（Graphical  User  Interface）画面、ＥＣＧ（Electronic  Content  Guide）画面を表示したりする。受信機１６０と表示装置１９０との間は、ＨＤＭＩ（High-Definition  Multimedia  Interface）などのインターフェースによって、映像信号、音声信号、制御信号が送受信される。なお、受信機１６０と表示装置１９０は、別体の構成装置で構成されていてもよいし、受信機１６０と表示装置１９０が１つに収められた一体型の装置であってもよい。
【００６７】
（ライセンス要求メッセージデータの構成）
次に、受信機１６０がコンテンツデータの利用権利に関するライセンスを要求する際、受信機１６０が配信サーバに送信するライセンス要求メッセージデータの構成について説明する。図４は、ライセンス要求メッセージを示すデータ構成図である。
【００６８】
ライセンス要求メッセージデータは例えば規格化されたデータを使用することができ、本実施形態に係る付加サービスライセンス要求に関する情報は、この規格化されたデータのうち未定義の部分に含めて使用される。このように、コンテンツデータの利用権利に関するライセンスの要求と、付加サービスの利用権利に関する付加サービスライセンスの要求とを１のメッセージデータで送受信することができるので、ライセンスサーバ１０６と受信機１６０との通信回数を増加させることなく、付加サービスを含むコンテンツ配信サービスを実現することができる。
【００６９】
図４を参照して、ライセンス要求メッセージの構成について説明する。ライセンス要求メッセージは、例えば、ヘッダー（header）、ライセンスリクエストメッセージ（License  Request  Message）、メッセージダイジェスト（Message  Digest）などから構成される。
【００７０】
そして、ヘッダーは、プロトコル名であるProtocol  IDと、Protocol  Versionと、送信者を特定するためのユニークなＩＤであるSender  IDと、サーバ接続開始、リクエスト、終了等のメッセージ種別であるPayload  Typeと、ペイロード長であるPayload  Sizeと、暗号化データ長であるEncrypted  Data  Sizeと、シーケンス番号であるSequence  Numberと、even／oddのメッセージが再送か新規かを特定するためのフラグであるTr  Flag（トランザクションフラグ）などから構成される。
【００７１】
また、ライセンスリクエストメッセージは、Protocol  Versionと、リクエストメッセージ種別であるMessage  IDと、モデル名、セキュア時計の有無など受信機１６０に関わる情報であるDevice  Informationと、要求するライセンスを特定するためのライセンスＩＤを含むUsage  Rule  Referenceと、ＶｏＤ再生、外部機器へのエクスポートなどライセンスを利用する受信機１６０の動作に関するAction  IDと、外部機器へエクスポートする場合の詳細な規定に関するAction  Permと、規格上は未定義の部分であるPrivate  Dataなどから構成される。
【００７２】
付加サービスライセンスを特定する付加サービスＩＤは、例えば、Usage  Rule  Referenceにおける、上位８バイトのライセンスＩＤの下位側にある規格上は空き領域となっている下位８バイトの部分に含まれるとすることができる。または、付加サービスＩＤは、Private  Dataに含まれるとすることができる。
【００７３】
付加サービスＩＤは、例えば電子マネー（エディーなど）を用いたサービスである場合はEdy  IDの情報等である。
【００７４】
（第１の実施形態の動作）
次に、本実施形態に係るコンテンツ配信システム１００のデータの送受信について説明する。図５は、本実施形態に係るコンテンツ配信システムのデータの送受信を示すシーケンス図である。図５では、コンテンツが有料であり課金処理が必要な場合について説明する。第１の実施形態では、電子マネーを介して付加サービスの利用権利を取得する。付加サービスは、例えば、電子マネーと共に利用できるクーポンを利用した割引、ポイントの取得や利用などである。
【００７５】
まず、コンテンツを取得するため受信機１６０とポータルサーバ１０２とが接続される（ステップＳ１０１）。そして、受信機１６０では画面を介してコンテンツ一覧からダウンロードするコンテンツが選択され、選択された情報が受信機１６０からポータルサーバ１０２に送信される（ステップＳ１０２）。次に、ポータルサーバ１０２は、料金、決済方法などに関する課金決済情報を受信機１６０に送信する（ステップＳ１０３）。
【００７６】
次に、受信機１６０は、利用者が使用する電子マネーを一意に特定可能な電子マネーＩＤを課金決済サーバ１０８に送信しつつ、購入手続（課金処理）を行う（ステップＳ１０４）。そして、課金決済サーバ１０８で利用者の電子マネーＩＤが記録され、課金決済が完了すると、課金決済サーバ１０８から課金決済完了という結果がライセンスサーバ１０６に通知される（ステップＳ１０５）。
【００７７】
ライセンスサーバ１０６は、課金処理が正常に完了したことを確認すると、ライセンスＩＤを生成し、利用者の電子マネーＩＤに基づいて付加サービスＩＤを生成する。このとき、ライセンスサーバ１０６は、ライセンスＩＤと付加サービスＩＤを関連付けて記録しておいてもよい。次に、ライセンスＩＤがライセンスサーバ１０６から課金決済サーバ１０８に送信され（ステップＳ１０７）、更にライセンスＩＤが課金決済サーバ１０８から受信機１６０に送信される（ステップＳ１０８）。この結果、受信機１６０は、ライセンスを特定するライセンスＩＤを取得できる。
【００７８】
次に、受信機１６０は、ライセンス取得要求のため、取得済みのライセンスＩＤ（第１の認証情報）と課金決済に使用した電子マネーの電子マネーＩＤ（第２の認証情報）をライセンスサーバ１０６に送信する（ステップＳ１０８）。ライセンスサーバ１０６は、ライセンスＩＤと電子マネーＩＤを確認すると、コンテンツの利用権利に関するライセンス（第１の権利情報）と、付加サービスの利用権利に関する付加サービスライセンス（第２の権利情報）を受信機１６０に送信する（ステップＳ１０９）。この結果、受信機１６０は、ライセンス及び付加サービスライセンスを取得できる。
【００７９】
なお、ライセンスサーバ１０６において、ライセンスＩＤと付加サービスＩＤが関連付けて記録されている場合は、ステップＳ１０８において受信機１６０は電子マネーＩＤをライセンスサーバ１０６に送信しなくてもよい。
【００８０】
そして、受信機１６０が、コンテンツ取得要求をすると（ステップＳ１１０）、コンテンツサーバ１０４がコンテンツを受信機１６０に送信する（ステップＳ１１１）。また、受信機１６０が、付加サービス取得要求をすると（ステップＳ１１２）、コンテンツサーバ１０４が付加サービスに関するデータを受信機１６０に送信する（ステップＳ１１３）。
【００８１】
なお、付加サービスに関するデータの送信は、コンテンツサーバ１０４による送信に限定されず、ポータルサーバ１０２など他のサーバから送信されてもよい。
【００８２】
以上のように、受信機１６０は、付加サービスを利用するために必要な情報を得ることができる。また、ライセンスサーバ１０６は、ライセンスを特定するライセンスＩＤと付加サービスライセンスを特定する付加サービスＩＤに関連付けされた電子マネーＩＤを有する受信機１６０に限定したサービスを実現できる。
【００８３】
（第２の実施形態）
次に、本実施形態の第２の実施形態について説明する。第２の実施形態では、第１の実施形態のように電子マネーを介して付加サービスの利用権利を取得するのではなく、受信機１６０に付加サービス特定情報（付加サービスＩＤ）を入力することによって、付加サービスの利用権利を得られるサービスに適用できる。
【００８４】
付加サービスは、例えば、ある商品（付加サービスＩＤ付きのＤＶＤなど）を購入した利用者を対象に配信するコンテンツの提供サービスや、クーポン利用による購入金額の割引、電子チケットシステムと組み合わせたチケット優先購入権利などがある。
【００８５】
次に、図６を参照して、本実施形態に係るコンテンツ配信システム１００のデータの送受信について説明する。図６は、本実施形態に係るコンテンツ配信システムのデータの送受信を示すシーケンス図である。
【００８６】
まず、コンテンツを取得するため受信機１６０とポータルサーバ１０２とが接続される（ステップＳ２０１）。そして、受信機１６０では画面を介してコンテンツ一覧からダウンロードするコンテンツが選択され、選択された情報が受信機１６０からポータルサーバ１０２に送信される（ステップＳ２０２）。次に、ポータルサーバ１０２は、ライセンス取得情報、即ちライセンスＩＤを受信機１６０に送信する（ステップＳ２０３）。
【００８７】
受信機１６０は、付加サービスＩＤが入力されることによって、コンテンツに関する付加サービスの提供を受けられる。付加サービスＩＤは、コンテンツ配信サービスのサービス事業者がインターネットのＷｅｂページから提供してもよいし、新聞やその他の紙広告から提供してもよく、利用者に対する提供経路は限定されない。
【００８８】
受信機１６０は、ライセンスＩＤと付加サービスＩＤをライセンスサーバ１０６に送信する（ステップＳ２０４）。ライセンスサーバ１０６は、ライセンスＩＤと付加サービスＩＤに基づいて、コンテンツの利用権利に関するライセンス（第１の権利情報）と、付加サービスの利用権利に関する付加サービスライセンス（第２の権利情報）を受信機１６０に送信する（ステップＳ２０５）。この結果、受信機１６０は、ライセンス及び付加サービスライセンスを取得できる。
【００８９】
そして、受信機１６０が、コンテンツ取得要求をすると（ステップＳ２０６）、コンテンツサーバ１０４がコンテンツを受信機１６０に送信する（ステップＳ２０７）。また、受信機１６０が、付加サービス取得要求をすると（ステップＳ２０８）、コンテンツサーバ１０４が付加サービスに関するデータを受信機１６０に送信する（ステップＳ２０９）。
【００９０】
なお、付加サービスに関するデータの送信は、コンテンツサーバ１０４による送信に限定されず、ポータルサーバ１０２など他のサーバから送信されてもよい。
【００９１】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【図面の簡単な説明】
【００９２】
【図１】本発明の第１の実施形態に係るコンテンツ配信システムを示す構成図である。
【図２】同実施形態に係る配信サーバを示すブロック図である。
【図３】同実施形態に係る受信機を示すブロック図である。
【図４】ライセンス要求メッセージを示すデータ構成図である。
【図５】本発明の第１の実施形態に係るコンテンツ配信システムのデータの送受信を示すシーケンス図である。
【図６】本発明の第２の実施形態に係るコンテンツ配信システムのデータの送受信を示すシーケンス図である。
【符号の説明】
【００９３】
１００      コンテンツ配信システム
１０１      ネットワーク
１０２      ポータルサーバ
１０４      コンテンツサーバ
１０６      ライセンスサーバ
１０８      課金決済サーバ
１１０      配信サーバ
１１２、１６２      ＣＰＵ
１１４、１６６      メモリ
１１６、１６８      入出力ＩＦ
１１８      表示部
１２０      記録部
１２２      ＩＤ生成部
１２４      ＩＤ受信部
１２６      ライセンス送信部
１２８      コンテンツ配信要求受付部
１３０      コンテンツデータ配信部
１３２      付加サービス要求受付部
１３４      付加サービスデータ送信部
１３６      ユーザ認証部
１３８      ユーザ情報管理部
１４０      課金処理部
１４２、１８８      ネットワーク接続部
１６０      受信機
１７０      デコーダ
１７２      ライセンスＩＤ取得部
１７４      付加サービスＩＤ取得部
１７６      ＩＤ送信部
１７８      ライセンス受信部
１８０      付加サービスライセンス受信部
１８１      コンテンツデータ受信部
１８２      コンテンツ取得要求部
１８３      付加サービスデータ受信部
１８４      付加サービス取得要求部
１８６      再生制御部
１９０      表示装置
【図１】
2009055126.tif 000003
【図２】
2009055126.tif 000004
【図３】
2009055126.tif 000005
【図４】
2009055126.tif 000006
【図５】
2009055126.tif 000007
【図６】
2009055126.tif 000008